(57)【要約】【課題】芳香及び／又は消臭機能を有する機能性ユニットを取替可能に内蔵することができ、意匠性に優れた装飾内装材を提供することを目的とする。【解決手段】表面に凹部と凸部を有し凹部には機能性ユニット固定部を点在するように設けた内装材本体と、内部に芳香剤及び／又は消臭剤を内蔵すると共に外部に連通する通気部を設けた機能性ユニットからなり、該通気部と凸部との間には隙間を設けるように機能性ユニットが配置され、互いに係止するユニット係止部と本体係止部とによって、着脱可能に固定されている装飾内装材。【選択図】  図２
2010229780.tif 000002
【特許請求の範囲】
【請求項１】
内装材本体と芳香及び／又は消臭機能を有する機能性ユニットからなる装飾内装材であって、機能性ユニットは内装材本体と互いに係止するユニット係止部と本体係止部とによって、着脱可能に固定されていることを特徴とする芳香及び／又は消臭機能を有する装飾内装材。
【請求項２】
表面に凹部と凸部を有し凹部には機能性ユニット固定部を点在するように設けた内装材本体と、内部に芳香剤及び／又は消臭剤を内蔵すると共に外部に連通する通気部を設けた機能性ユニットからなり、該通気部と凸部との間には隙間を設けるように機能性ユニットが配置されていることを特徴とする請求項１に記載の芳香及び／又は消臭機能を有する装飾内装材。
【請求項３】
外部に連通し長尺方向に連続する収納空間を有する内装材本体と、カバー材と芳香剤及び／又は消臭剤からなる機能性ユニットからなることを特徴とする請求項１に記載の芳香及び／又は消臭機能を有する装飾内装材。
【発明の詳細な説明】
【技術分野】
【０００１】
本発明は、芳香及び／又は消臭機能を有するユニットを取替可能に内蔵する装飾内装材に関するものである。
【背景技術】
【０００２】
従来より、居室、ダイニング、洗面所、トイレ、玄関を問わず、臭いの気になる空間では据え置きタイプの芳香剤や消臭剤を配置しているが、邪魔になったり誤って転倒させたりする場合がある。
【先行技術文献】
【特許文献】
【０００３】
【特許文献１】実用新案登録第３０９９９５１号公報
【発明の概要】
【発明が解決しようとする課題】
【０００４】
これらの問題点に対して、例えば特許文献１には壁面パネルに着脱自在に装着した有孔パネルとホルムアルデヒド等の有害物質吸着パックからなる壁面パネルが開示されている。この技術を利用すれば、芳香剤や消臭剤を内装材に内蔵することができ、上記の問題点を解決することができる。
【０００５】
しかし、この構造では、有孔パネルや吸着パックを着脱するために、壁面パネルの水平支持枠上を有孔パネルをスライド支持する方法であって、水平支持枠を長くすると着脱が不便になる。また、有孔パネルが表面に現れるので、デザインが極めて限定された形になり、十分に化粧性を満足させる壁面が得られない。
【０００６】
本発明は、かかる問題点に鑑みなされたものであり、芳香及び／又は消臭機能を有するユニットを取替可能に内蔵することができ、意匠性に優れた装飾内装材を提供することを目的とする。
【課題を解決するための手段】
【０００７】
上記目的を解決するために、請求項１に係る芳香及び／又は消臭機能を有する装飾内装材の発明は、内装材本体と芳香及び／又は消臭機能を有する機能性ユニットからなる装飾内装材であって、機能性ユニットは内装材本体と互いに係止するユニット係止部と本体係止部とによって、着脱可能に固定されていることを特徴とする。
【０００８】
請求項２に係る発明は、請求項１に記載の芳香及び／又は消臭機能を有する装飾内装材において、表面に凹部と凸部を有し凹部には機能性ユニット固定部を点在するように設けた内装材本体と、内部に芳香剤及び／又は消臭剤を内蔵すると共に外部に連通する通気部を設けた機能性ユニットとからなり、該通気部と凸部との間には隙間を設けるように機能性ユニットが配置されていることを特徴とする。
【０００９】
請求項３に係る発明は、請求項１に記載の芳香及び／又は消臭機能を有する装飾内装材において、外部に連通し長尺方向に連続する空間を有する内装材本体と、カバー材と芳香剤及び／又は消臭剤からなる機能性ユニットとからなることを特徴とする。
【発明の効果】
【００１０】
請求項１に係る発明によれば、芳香及び／又は消臭機能を有する機能性ユニットは内装材本体と互いに係止するユニット係止部と本体係止部とによって、着脱可能に固定されているので、機能が低下した場合には簡単に新しいものとの交換ができ、好みにより各種の芳香剤及び／又は消臭剤と変えることも簡単にできる。さらに内装材本体に固定されているので邪魔になったり誤って転倒させたりすることもない。
【００１１】
請求項２に係る発明によれば、請求項１に係る発明を具体的に装飾壁材に適用した場合であって、表面に凹部と凸部を有した壁材本体に機能性ユニットを点在するように設けているので、芳香及び／又は消臭機能が室内全体に均一に発揮できる。凹部に機能性ユニットを固定するので、機能性ユニットが壁面から大きく突出しないので意匠性を損なうことはない。機能性ユニットに内蔵した芳香剤及び／又は消臭剤は外部に連通する通気部を通じて効果が発揮される。さらに、通気部と凸部との間には隙間を設けるように配置することで、芳香及び／又は消臭機能が妨げられることはない。
【００１２】
請求項３に係る発明によれば、請求項１に係る発明を具体的に造作材(幅木等）に適用した場合であって、造作材本体には外部に連通し長尺方向に連続する収納空間があり芳香剤及び／又は消臭剤が収納される。造作材本体には前面から着脱可能なカバー材で覆われるので、芳香剤及び／又は消臭剤が外部に露出されることなく交換も簡単にできる。また収納空間はカバー材で覆っても外部に通じているので芳香及び／又は消臭効果が十分に発揮される。
【図面の簡単な説明】
【００１３】
【図１】本発明の実施形態１に係る装飾内装材(壁材）の正面図。
【図２】本発明の実施形態１に係る装飾内装材(壁材）の断面図。
【図３】本発明の実施形態１に係る機能性ユニットの取付けを示す斜視図
【図４】本発明の実施形態１に係る機能性ユニットの斜視図。
【図５】本発明の実施形態２に係る装飾内装材(造作材）の断面図。
【図６】本発明の実施形態２に係る装飾内装材(造作材）の斜視図。
【発明を実施するための形態】
【００１４】
以下、本発明を実施するための実施形態を説明する。もちろん本発明は本実施形態の記載内容に限られるものではない。
【００１５】
[実施形態１]
実施形態１に係る装飾内装材Ａについて、図１から図４を用いて説明する。装飾内装材Ａは壁材であって、内装材本体（壁材本体）１２に機能性ユニット１１を着脱自在に固定したものである。装飾内装材Ａは長尺方向に連続する、断面三角形の凸部１７と凹部１８が形成され、壁面全体に機能性ユニット固定部１９として点在するように凸部１７の一部を切り欠いて形成した凹部１８に、弾性を有する金属薄板等の金具からなる本体係止部１４をビスや釘等の固定具２０を用いて固定する。
【００１６】
本体係止部１４に機能性ユニット１１のユニット係止部１５（図４では箱体の側面部が該当し本体係止部１４の突片が弾性的に係止される）を係止して、内装材本体１２に機能性ユニット１１を固定する。このように機能性ユニット１１は内装材本体１２から簡単に着脱できるので、内蔵する芳香剤及び／又は消臭剤１３の機能が低下した時には交換することができる。
【００１７】
機能性ユニット１１はＡＢＳ等の樹脂やステンレスやアルミ等の金属からなり、木質材料等からなる内装材本体１２に合わせるように突板や化粧シートが表面に貼着される。芳香剤及び／又は消臭剤１３は特に限定されることなく市販されている一般的なものが使用できる。、箱体内に収納できる形状のものであれば何でも良いが、固形物が好ましい。液状の場合は容器等に入れるとこぼれ易いので、不織布、綿、スポンジ等に含浸させる。
【００１８】
機能性ユニット１１には、内蔵した芳香剤及び／又は消臭剤１３が機能を発揮できるように、室内と連通する通気部１６を設けている。本実施形態では箱体の側面に複数個の四角形状の孔としているが、孔の形状、大きさ、個数は限定されず、孔でなくとも切り欠きのようなものでも良い。
【００１９】
内装材本体１２の凸部１７は断面三角形状に突出しているので、機能性ユニット１１を内装材本体１２に固定した場合、通気部１６は凸部１７との間に隙間が設けられるので、通気部１６は凸部１７に邪魔されることはないので、消臭、芳香機能は十分に発揮されると共に、着脱の際に機能性ユニット１１を掴み易く着脱が容易に行える。
【００２０】
[実施形態２]
実施形態２に係る装飾内装材Ｂについて、図５、図６を用いて説明する。図６では内装材本体（造作材本体）２２の前面を連続的に覆っているカバー材２１の一部を削除して内部が見えるようにしている。装飾内装材Ｂは造作材（図面では幅木であり壁材２７と床面との納めに用いる）であって、内装材本体（造作材本体）２２にカバー材２１を着脱自在に固定したものである。内装材本体２２は外部に連通し長尺方向に連続する収納空間２６を有し、カバー材２１の裏面側に突設するユニット係止部２５（長尺方向に連続的に設けられていても部分的に設けられていても良い）を本体係止部２４に挿入係止して内装材本体２２の前面にカバー材２１を固定する。
【００２１】
カバー材２１には芳香剤及び／又は消臭剤２３が裏面側に両面テープ等で固定され、カバー材２１を内装材本体２２に取り付けた際には、収納空間２６に収まるようになる。カバー材２１はＡＢＳ等の樹脂からなり内装材本体２２に合わせるように突板や化粧シートが表面に貼着され、芳香剤及び／又は消臭剤２３は裏面側に隠されるので、美麗な仕上げができる。また、収納空間２６は外部に連通しているので消臭及び／又は芳香機能は十分に発揮される。さらに、カバー材２１を着脱するだけで、芳香剤及び／又は消臭剤１３を容易に交換できる。芳香剤及び／又は消臭剤２３はカバー材２１に固定せず、収納空間２６に挿入後カバー材２１を固定しても良い。
【産業上の利用可能性】
【００２２】
芳香及び／又は消臭機能を有する機能性ユニットを内装材本体に着脱可能に固定することができ、室内の臭気を防止でき、意匠性に優れた装飾内装材を提供できる。
【符号の説明】
【００２３】
Ａ            装飾内装材(壁材）
Ｂ            装飾内装材(造作材）
１１            機能性ユニット
１２            内装材本体(壁材本体）                        
１３、２３      芳香剤及び／又は消臭剤
１４、２４      本体係止部
１５、２５      ユニット係止部
１６            通気部
１７            凸部
１８            凹部
２１            カバー材
２２            内装材本体(造作材本体）
２６            収納空間              
【図１】
2010229780.tif 000003
【図２】
2010229780.tif 000004
【図３】
2010229780.tif 000005
【図４】
2010229780.tif 000006
【図５】
2010229780.tif 000007
【図６】
2010229780.tif 000008